(57)【要約】【課題】本体部を軽量化でき、穴開けのための後加工を必要とせず、取付部材を任意の位置に移動できる密閉構造および照明器具を提供する。【解決手段】両端に開口部９を有する筒状であって外面の長手方向に沿って溝６を形成し溝６は内部に広幅部７を有する本体部１と、開口部９を覆うように開口部９にパッキン３を介して接合されたエンド部２と、溝６の広幅部７に嵌合される頭部１５を有し溝６から突出するねじ１６を有する取付具４とを備えている。また本体部１の内面の長手方向に沿って断面略Ｃ字形の溝８を形成し、エンド部不２に溝８の端部に整合する挿通孔１０を形成し、パッキン３に溝８および挿通孔１０に整合する貫通孔１１を形成し、ねじ４を挿通孔１０および貫通孔１１に通して溝８に螺着する。【選択図】  図１
2004192986.tif 000002
【特許請求の範囲】
【請求項１】
少なくとも一端に開口部を有する筒状であって外面の長手方向に沿って溝を形成し前記溝は内部に広幅部を有する本体部と、前記開口部を覆うエンド部と、前記溝の前記広幅部に嵌合される頭部を有し前記溝から突出する取付部を有する取付具とを備えた密閉構造。
【請求項２】
少なくとも一端に開口部を有する筒状であって内面の長手方向に沿って溝を形成した本体部と、前記溝の端部に整合する挿通孔を有して前記開口部を被覆するエンド部と、前記挿通孔を通して前記溝に螺着されたねじとを備えた密閉構造。
【請求項３】
前記開口部と前記エンド部との間に介在されて前記溝および前記挿通孔に整合する貫通孔を形成したパッキンを有し、前記エンド部の前記挿通孔は前記パッキン側が広径となるすり鉢形状を有し、前記パッキンの前記貫通孔は前記挿通孔に嵌合するドーナツ形状のリブの中心に形成されている請求項２記載の密閉構造。
【請求項４】
前記本体部を抱持する略逆Ｕ字形の取付部材を有し、前記取付部材は中央部で互いに回動可能に連結された一対の取付片からなる請求項１記載の密閉構造。
【請求項５】
請求項１、請求項２、請求項３または請求項４記載の密閉構造を有する照明器具。
【発明の詳細な説明】
【０００１】
【発明の属する技術分野】
本発明は、開口部のある本体部と、開口部を閉じるエンド部を備え、パッキンを介して開口部にねじを用いて接合する密閉構造およびそれを用いた照明器具に関するものである。
【０００２】
【従来の技術】
低温用照明器具や密閉型照明器具に用いられる従来の密閉構造を図９および図１０に示す。１００は本体部、１０１は開口部、１０２はエンド部、１０３はパッキン、１０４、１０５は取付ねじ、１０６は取付部材である。開口部１０１にねじ孔１０７を形成し、開口部１０１にパッキン１０３およびエンド部１０２を重ね、取付ねじ１０４を通してねじ孔１０７に螺着する。また本体部１００の上面にねじ孔１０８を形成し、取付部材１０６を本体部１００に載せ取付ねじ１０５を取付部材１０６に通してねじ孔１０８に締付け取付部材１０６を本体部１００に取付ける。
【０００３】
【特許文献】
実用新案登録第2599995号
【０００４】
【発明が解決しようとする課題】
しかし、本体部１００を押出成形等した後、開口部１０１にねじ孔を後加工する必要があった。また本体部１００はねじ加工するための肉厚が必要となり、本体部１００の重量が大きくなっていた。また本体部１００に取付部材１０６を取付ける際にもねじ孔１０８を後加工する必要があった。さらに取付部材１０６の取付位置を変更する場合や、取付部材１０６の取付数を増やす場合等にその都度穴加工が必要であった。
【０００５】
したがって、この発明の目的は、本体部を軽量化でき、穴開けのための後加工を必要とせず、取付部材を任意の位置に移動できる密閉構造および照明器具を提供することである。
【０００６】
【課題を解決するための手段】
請求項１記載の密閉構造は、少なくとも一端に開口部を有する筒状であって外面の長手方向に沿って溝を形成し前記溝は内部に広幅部を有する本体部と、前記開口部を覆うエンド部と、前記溝の前記広幅部に嵌合される頭部を有し前記溝から突出する取付部を有する取付具とを備えたものである。
【０００７】
請求項１記載の密閉構造によれば、取付具が溝に挿通できるため従来のように穴開けのための後加工が不要となり、しかも取付具を任意の位置に移動することができる。また本体部は押出成形により溝を形成することができ、しかも溝により取付具を保持するため従来と比較して本体部を軽量化できる。したがって、より安価に密閉構造を提供できる。
【０００８】
請求項２記載の密閉構造は、少なくとも一端に開口部を有する筒状であって内面の長手方向に沿って溝を形成した本体部と、前記溝の端部に整合する挿通孔を有して前記開口部を被覆するエンド部と、前記挿通孔を通して前記溝に螺着されたねじとを備えたものである。
【０００９】
請求項２記載の密閉構造によれば、本体部の溝は押出成形により製造でき、溝にねじによりエンド部を取付けるため穴開けのための後加工が不要となり、また従来と比べて軽量化できる。したがって、より安価に密閉構造を提供できる。
【００１０】
請求項３記載の密閉構造は、請求項２において、前記開口部と前記エンド部との間に介在されて前記溝および前記挿通孔に整合する貫通孔を形成したパッキンを有し、前記エンド部の前記挿通孔が前記パッキン側が広径となるすり鉢形状をなし、前記パッキンの前記貫通孔は前記挿通孔に嵌合するドーナツ形状のリブの中心に形成されているものである。
【００１１】
請求項３記載の密閉構造によれば、請求項２と同様な効果のほか、挿通孔にリブが嵌合することによりリブが搾められ貫通孔の内径が小さくなってねじに密着するので、密閉性が向上する。
【００１２】
請求項４記載の密閉構造は、請求項１において、前記本体部を抱持する略逆Ｕ字形の取付部材を有し、前記取付部材は中央部で互いに回動可能に連結された一対の取付片からなるものである。
【００１３】
請求項４記載の密閉構造によれば、請求項１と同様な効果のほか、本体部の表面が塗装された場合に一対の取付片を中央部を中心に回動して本体部を抱持することができるので本体部の側面の塗装を剥離することなく取付部材を本体部に密着することができる。
【００１４】
請求項５記載の照明器具は、請求項１、請求項２、請求項３または請求項４記載の密閉構造を有するものである。
【００１５】
請求項５記載の照明器具によれば、請求項１、請求項２、請求項３または請求項４と同様な効果がある。
【００１６】
【発明の実施の形態】
この発明の第１の実施の形態の図１から図４に基づいて説明する。すなわち、この照明器具の密閉構造は、本体部１と、エンド部２と、パッキン３と、取付具４と、取付部材５を有する。
【００１７】
本体部１は、両端が開口した開口部９を有する例えば断面台形の筒状であって、この内部に照明器具の器具本体およびそれに付随した部品が内装される。本体部１の外面の長手方向に沿って溝６を例えば２条形成し、これらの溝６は広幅部７を内部に有する。また内面の長手方向に沿って断面略Ｃ字形の溝８を例えば各コーナ部に形成している。このような構成の本体部１は例えばアルミニウム等の金属またはプラスチックなどを材料として押出成形により一体に形成される。
【００１８】
エンド部２は、開口部９を覆うように開口部９にパッキン３を介して接合されている。この場合、エンド部２をアルミニウム等の金属やプラスチックなどにより、本体部１の外形にほぼ等しい外形に形成し、溝８の端部に整合する挿通孔１０を設けて開口部９を被覆している。
【００１９】
パッキン３は、溝８および挿通孔１０に整合する貫通孔１１を有して開口部９とエンド部２との間に介在されている。この場合、エンド部２の挿通孔１０はパッキン３側が広径となるすり鉢形状をなし（図２参照）、パッキン３の貫通孔１１は挿通孔１０に嵌合するドーナツ形状のリブ１３の中心に形成されている。パッキン３はゴム等の弾性部材が好ましく、大きさはエンド部２にほぼ等しく、外周は本体部１の外周およびエンド部２の外周に嵌合する延出部１２を形成している。
【００２０】
取付具４は、溝６の広幅部７に嵌合される頭部１５を有し、溝６から突出する取付部１６を有する。頭部１５は矩形平板とし、取付部１６はねじ棒とし、ナット１７に螺合するものとしている。取付具４の頭部１５は溝６内を図３に示す矢印の方向に摺動することができ、任意の位置に移動することができる。
【００２１】
取付部材５は、帯状の金具であり、取付具４に対応して挿通孔１９を形成し、両端部を上向きに段曲げし、かつ両端部に取付孔２０を形成している。取付部１６を挿通孔１９に挿通しナット１７に螺合し締めつけると本体部１に取付部材５が取付けられる。取付部材５の取付孔２０を被取付部（図示せず）に取付けて本体部１を被取付部に取付ける。
【００２２】
取付ねじ２１は、挿通孔１０および貫通孔１１を通して溝８の端部に螺着される。この場合、溝８にはタッピングするか、またはタッピンねじを用いて溝８をねじ切りすると同時に螺合する。これによりエンド部２がパッキン４を介して本体部１に密着して取付けられ密閉性が確保されるとともに、図２に示すようにパッキン３がエンド部２と開口部９の間に挟持され密着するとともにすり鉢状の挿通孔１０にリブ１３が嵌合するので貫通孔１１の内径が小さくなり取付ねじ２１に密着し、ねじ２１においても密閉性が確保される。
【００２３】
この発明の第２の実施の形態を図５および図６に示す。すなわち、第１の実施の形態において、本体部１を抱持する略逆Ｕ字形の取付部材５を有し、取付部材５は中央部で互いに回動可能に連結された一対の取付片２５、２６からなる。一対の取付片２５、２６は、取付部材５が中央部で互いに相かぎ継ぎするかぎ部２３、２４を有し、相互にかみあったまま回動可能である。この取付部材５は取付具４に対応して挿通孔１９を形成し、端部に取付孔２０を有する点は第１の実施の形態と共通するが、本体部１の外周を抱持して側面に密着する点が異なる。この場合図６に示すように、かぎ部２３、２４でかみあったまま相互に回動させることが可能であるので、取付部材５を本体部１の表面に滑らせて抱持させる必要がない。このため、本体部１の表面および側面に塗装を施していても側面の塗装が剥離することを防止できる。
【００２４】
この発明の第３の実施の形態を図７に示す。すなわち、第１の実施の形態において、溝６を本体部１の取付面の中央に一本設けたものであり、取付部材５もこれに対応して中央に挿通孔１９を形成している。
【００２５】
この発明の第４の実施の形態を図８に示す。すなわち、第１の実施の形態の取付具４がなく、従来と同構成の取付ねじ１０５を中央部に１本設けているが、その他は第１の実施の形態と同様である。
【００２６】
なおこの発明において、溝６、８の数や位置はこれらに限らず、開口部９も一端のみ形成されたものでもよい。
【００２７】
【発明の効果】
請求項１記載の密閉構造によれば、取付具が溝に挿通できるため従来のように穴開けのための後加工が不要となり、しかも取付具を任意の位置に移動することができる。また本体部は押出成形により溝を形成することができ、しかも溝により取付具を保持するため従来と比較して本体部を軽量化できる。したがって、より安価に密閉構造を提供できる。
【００２８】
請求項２記載の密閉構造によれば、本体部の溝は押出成形により製造でき、溝にねじによりエンド部を取付けるため穴開けのための後加工が不要となり、また従来と比べて軽量化できる。したがって、より安価に密閉構造を提供できる。
【００２９】
請求項３記載の密閉構造によれば、請求項２と同様な効果のほか、挿通孔にリブが嵌合することによりリブが搾められ貫通孔の内径が小さくなってねじに密着するので、密閉性が向上する。
【００３０】
請求項４記載の密閉構造によれば、請求項１と同様な効果のほか、本体部の表面が塗装された場合に一対の取付片を中央部を中心に回動して本体部を抱持することができるので本体部の側面の塗装を剥離することなく取付部材を本体部に密着することができる。
【００３１】
請求項５記載の照明器具によれば、請求項１、請求項２、請求項３または請求項４と同様な効果がある。
【図面の簡単な説明】
【図１】この発明の第１の実施の形態の分解斜視図である。
【図２】エンド部の取付を示す断面図である。
【図３】取付部材の取付けを示す分解斜視図である。
【図４】その取付状板の断面図である。
【図５】第２の実施の形態の取付部材の取付けを示す分解斜視図である。
【図６】（ａ）はその取付状態の断面図、（ｂ）はその取付部材の平面図である。
【図７】第３の実施の形態の断面図である。
【図８】第４の実施の形態の断面図である。
【図９】従来例の分解斜視図である。
【図１０】その組み合わせ状態の側面図である。
【符号の説明】
１    本体部
２    エンド部
３    パッキン
４    取付具
５    取付部材
６    溝
７    広幅部
８    溝
９    開口部
１０    挿通孔
１１    貫通孔
１３    リブ
１５    頭部
１６    取付部
１９    挿通孔
２１    取付ねじ
２３    取付片
２４    取付片
【図１】
2004192986.tif 000003
【図２】
2004192986.tif 000004
【図３】
2004192986.tif 000005
【図４】
2004192986.tif 000006
【図５】
2004192986.tif 000007
【図６】
2004192986.tif 000008
【図７】
2004192986.tif 000009
【図８】
2004192986.tif 000010
【図９】
2004192986.tif 000011
【図１０】
2004192986.tif 000012